(57)【特許請求の範囲】
【請求項１】
光伝送網内に配置され、前記光伝送網を伝送される波長を中継する光伝送装置において、
波長を伝送する前記光伝送網内の経路における光伝送障害を検知する検知手段と、
該検知に基づいて、該光伝送障害を被る被障害波長を抽出する抽出手段と、
該抽出した被障害波長の発信元となる発信元装置に対して、前記光伝送障害に対する該発信元装置側での回避操作を保留するよう指示する保留指示手段と、
被障害波長を伝送していた経路に代替する障害回避経路を算出する算出手段と、
該算出により障害回避経路が予め設定された所定の期間内に検出されない場合は、前記発信元装置側での障害回避作業が必要であることを前記発信元装置に対して通知し、前記算出により障害回避経路が予め設定された所定の期間内に検出されれば、算出した障害回避経路に基づく伝送を指示する情報を、前記発信元装置に対して通知する通知手段とを有することを特徴とする光伝送装置。
【請求項２】
請求項１に記載の光伝送装置において、
前記算出手段は、前記発信元装置に対応するユーザまたはデフォルトで予め設定された所定の期間内に、障害回避経路の算出を複数回行うことを特徴とする光伝送装置。
【請求項３】
請求項１または２に記載の光伝送装置において、
前記光伝送網では、波長分割多重による波長の伝送が行われており、
前記検知手段では、該波長を伝送する前記光伝送網内の経路における光伝送障害が検知されることを特徴とする光伝送装置。
【請求項４】
波長を伝送する前記光伝送網内の経路における光伝送障害を検知するステップと、
該検知に基づいて、該光伝送障害を被る被障害波長を抽出するステップと、
該抽出した被障害波長の発信元となる発信元装置に対して、前記光伝送障害に対する該発信元装置側での回避操作を保留するよう指示するステップと、
被障害波長を伝送していた経路に代替する障害回避経路を算出するステップと、
該算出により障害回避経路が予め設定された所定の期間内に検出されない場合は、前記発信元装置側での障害回避作業が必要であることを前記発信元装置に対して通知し、前記算出により障害回避経路が予め設定された所定の期間内に検出されれば、算出した障害回避経路に基づく伝送を指示する情報を、前記発信元装置に対して通知するステップとを有することを特徴とする光伝送障害管理方法。
【請求項５】
請求項４に記載の光伝送障害管理方法において、
前記障害回避経路を算出するステップは、前記発信元装置に対応するユーザまたはデフォルトで予め設定された所定の期間内に、障害回避経路の算出を複数回行うことを特徴とする光伝送障害管理方法。
【請求項６】
コンピュータに、請求項４もしくは請求項５のいずれかに記載の光伝送障害管理方法における各ステップを実行させるためのプログラム。
【発明の詳細な説明】
【０００１】
【発明の属する技術分野】
本発明は、光伝送の障害回避にかかる技術に関し、特に、光伝送要求を行うユーザ側の発信元装置に対してその光伝送障害の回避情報を通知することで、ユーザ側と障害回避の連携をとることのできる光伝送装置、光伝送障害管理方法に関する。
【０００２】
【従来の技術】
現在、ＳＯＮＥＴ（Synchronous Optical Network）やＳＤＨ（Synchronous Digital Hierarchy）による光ファイバ通信ネットワークにおいては、光伝送経路の各パスで発生した光伝送障害に対応しこれを回避して光伝送を行うために、リンク毎の二重化（Line Protection）、ユーザ側端末装置間の経路の完全二重化（Path Protection）が行われている。
光伝送障害が検出された場合、リンク二重化の光伝送網では、他方の（予備の）リンクに光伝送リンクが切り替えられる。ユーザ側端末装置間の経路が完全二重化された光伝送網では、ユーザ側端末装置に対して、ＳＯＮＥＴ ＯＡＭ（Operation Administration and Maintenance）情報を用いた光伝送障害の通知を行い、これを基に、ユーザ側装置でパスの切り替え作業を行う。
【０００３】
また、各ノードで光／電気変換を行わずに、光信号のまま情報を伝送するノードで構成される光伝送網（トランスペアレントネットワーク）においては、どの地点（またはパス）で光伝送障害が発生したのかは判断できず、この場合、光／電気変換するノード装置で光パスを切り替える必要も生じる。
【０００４】
また、ＧＭＰＬＳ（Generalized Multi-Protocol Label Switching）を始めとする光伝送網のインテリジェント化に伴い、メッシュ型のトポロジーにおいては光伝送障害の回避計算が動的に行われるようになる。トランスペアレントネットワーク内の中継を行う光伝送装置に、ＬＭＰ（Link Management Protocol）のチャネル制御機能やリンク接続性検証機能などを用いることで、リンクの生成や光伝送障害箇所の特定、隔離を行うことができるようになっている（IETF draft-ietf-ccamp-lmp）。
【０００５】
【発明が解決しようとする課題】
しかしながら、これらの光伝送網で、ＵＮＩ（user-network interface）を通じて光伝送網からユーザ側端末装置に対して光パスを提供し光伝送障害を回避するネットワークサービスにおいては、ユーザ側と（光伝送装置を含む）光伝送網側との光伝送障害回避の連携をとることができないという問題がある。
従来のＳＯＮＥＴ ＯＡＭでは、事前にリソースを確保するプロテクションを前提としており、特に（パスの終端ポイントを除く）光伝送網内で、経路を再計算して再設定する動作については考慮がなされてはいない。また、トランスペアレントネットワークの場合は、光伝送網から通知されるよりも早くに、ユーザ側端末装置においてその光伝送障害が、ＬＯＬ（Loss of Light）などにより検出される。
【０００６】
このとき、ユーザ側では、光伝送網において復旧が可能なのか否かの状況も分からず、光伝送障害が発生したパスをダウンとみなせばよいのか、あるいは既に復旧途中にあるとみなせばよいのかなどは分からない。
【０００７】
本発明は上述のような課題に鑑みてなされ、その目的は、光伝送要求を行うユーザ側の発信元装置に対してその光伝送障害の回避情報を通知することで、ユーザ側と障害回避の連携をとることのできる光伝送装置、光伝送障害管理方法を提供することにある。
【０００８】
【課題を解決するための手段】
（１）上記目的を達成するために、本発明に係る光伝送装置では、光伝送網内に配置され、前記光伝送網を伝送される波長を中継する光伝送装置において、波長を伝送する前記光伝送網内の経路における光伝送障害を検知する検知手段と、該検知に基づいて、該光伝送障害を被る被障害波長を抽出する抽出手段と、該抽出した被障害波長の発信元となる発信元装置に対して、前記光伝送障害の回避を保留指示する保留指示手段と、被障害波長を伝送していた経路に代替する障害回避経路を算出する算出手段と、該算出により障害回避経路が検出されたか否かの光伝送障害の回避情報を、前記発信元装置に対して通知する通知手段とを有することを特徴とする。
【０００９】
（２）また、本発明に係る光伝送装置では、上記（１）に記載の光伝送装置において、前記算出手段は、前記発信元装置に対応するユーザまたはデフォルトで予め設定された所定の期間内に、障害回避経路の算出を複数回行うことを特徴とする。
【００１０】
（３）また、本発明に係る光伝送装置では、上記（１）または（２）に記載の光伝送装置において、前記光伝送網では、波長分割多重による波長の伝送が行われており、前記検知手段では、該波長を伝送する前記光伝送網内の経路における光伝送障害が検知されることを特徴とする。
【００１１】
【発明の実施の形態】
以下に本発明の実施の形態を、図１〜図３を用いて詳細に説明する。
図１は、本発明における光伝送装置が用いられるネットワーク構成例を説明するためのブロック図である。図２は、本発明に係る光伝送装置の構成を説明するためのブロック図である。図３は、図２の光伝送装置により実行される光伝送障害管理動作を説明するためのフローチャートである。
【００１２】
初めに、図１を用いて、本発明における光伝送装置が用いられるネットワークの構成例を説明する。
【００１３】
このネットワーク１では、光伝送装置１００−１〜１００−４が、光伝送路であるリンク３０〜３６で接続されて、光伝送網１０を構成している。この光伝送網１０を利用するユーザのユーザ装置４０，４２は、帯域効率処理等が行われるＵＮＩが設けられたリンク２０，２２を介して、この光伝送網１０と接続されている。
【００１４】
次に、図２を用いて、本発明に係る光伝送装置の構成を説明する。なお、本発明に係る光伝送装置は、図１においては、同様の機能を有する光伝送装置１００−１〜１００−４であるが、ここでは、そのうちの光伝送装置１００−１を取り上げて説明する。
【００１５】
光伝送装置１００−１は、光ファイバ増幅機能を有する光クロスコネクト型の中継装置であり、受光部１０２、光増幅部１０４、光出力部１０６、および光伝送障害処理部１１０を有して構成されている。
【００１６】
受光部１０２は、光伝送路である受信用リンクから伝送された波長分割多重のＷＤＭ（Wavelength Division Multiplexing）波長からなる光信号を受信する。
光増幅部１０４は、その（減衰した）光信号を直接増幅する。
光出力部１０６は、この増幅された光信号を送信用リンクに伝送出力する。
【００１７】
光伝送障害処理部１１０は、障害検知部１１２、波長抽出部１１４、経路算出部１１６、保留指示部１１８および通知部１２０を有して構成されている。
【００１８】
障害検知部１１２は、光伝送網１０内の接続したリンクにおける光伝送障害を検知する。
波長抽出部１１４は、障害検出部１１２による光伝送障害の検知に基づいて、その光伝送障害を被る被障害波長を抽出する。
保留指示部１１８は、波長抽出部１１４により抽出した被障害波長の発信元となる発信元装置に対して、光伝送障害の回避を保留指示する信号を送信する。
【００１９】
経路算出部１１６は、発信元装置に対応するユーザまたはデフォルトで予め設定された所定期間内の所定間隔毎に、被障害波長を伝送していた経路に代替する障害回避経路を算出する。
通知部１２０は、経路算出部１１６の算出により障害回避経路が検出されたか否かの光伝送障害の回避情報を、発信元装置に対して通知する。
【００２０】
次に、図３のフローチャートを用いて、同機能を有する光伝送装置１００−１，１００−３により実行される光伝送障害管理動作を説明する。
【００２１】
光伝送網１０を介してユーザ装置４０（発信側）とユーザ装置４２（受信側）とが通信を行っている場合において、図１の光伝送装置１００−１と光伝送装置１００−４とを接続するリンク３４で光伝送障害が発生したとする。
このため、光伝送装置１００−１の受光部１０２では、受信側であるユーザ装置４２からの確認信号が受信できない。障害検知部１１２は、これにより光伝送障害を検知する（ステップＳ３０１）。波長抽出部１１４では、この障害の対象となる被障害波長を抽出する（ステップＳ３０２）。保留指示部１１８では、この抽出した被障害波長の発信側のユーザ装置４０に対して、光伝送障害の回避のための操作を保留指示する信号を送信する（ステップＳ３０３）。
【００２２】
光伝送装置１００−３の経路算出部１１６は、ユーザ装置４０に対応して予め設定されたデフォルトの所定期間内（例えば１０秒）の所定間隔毎（例えば１秒毎）に、被障害波長を伝送していた経路に代替する障害回避経路を算出する（ステップＳ３０４）。
【００２３】
光伝送装置１００−３の通知部１２０は、この算出により障害回避経路が検出されたか否かの光伝送障害の回避情報を、その所定間隔毎にユーザ装置４０に対して通知する（ステップＳ３０５）。この通知部１２０による回避情報の通知で、新たな障害回避経路が検出されたことが通知されたならば、この後、その算出された障害回避経路に基づいてユーザ装置４０からの波長の伝送が行われる（ステップＳ３０７）。逆に、所定期間内で障害回避経路が算出されない場合は（ステップＳ３０６）、通知部１２０による回避情報の通知で、パスがダウンしたことが検出されこれが通知されたならば（ステップＳ３０８）、ユーザ装置４０側では、自らでの障害回避作業（パス設定）が必要であることとなる。
【００２４】
このような本発明の光伝送装置を用いることで、光伝送要求を行うユーザ側の発信元装置に対してその光伝送障害の回避情報を通知することができ、ユーザ側と障害回避の連携をとることのできるようになる。
【００２５】
なお、上述の実施形態ではトランスペアレントネットワークを想定して説明を進めたが、他に、ラベルとしてのλ、ＳＯＮＥＴなどのチャネルを扱えるようにしたＧＭＰＬＳに対しても適用可能である。この場合、ＳＯＮＥＴ ＯＡＭによる光伝送障害の検出に伴い、ラベルパスに基づいた発信元装置に対して保留指示を行う。この保留中に、上述のステップＳ３０５〜Ｓ３０８と同様な動作を行うことで、上述の実施形態により奏されるのと同様の効果を得ることができるようになる。
【００２６】
なお、本発明は、図１〜図３を用いて説明した上述の実施形態の例に限定されるものではなく、その要旨を逸脱しない範囲において種々の変更が可能である。例えば、上述の例ではＷＤＭ波長分割多重に対する光ファイバ型増幅機能を有する光伝送装置について説明したが、他に、半導体型光増幅器としての光伝送装置に上述の図２の光伝送障害処理部１１０の機能を設けてもよいし、波長多重以外の時分割多重などの光伝送網に適用してもよい。
【００２７】
また、上述の実施形態において、光伝送装置により実行されるその光伝送障害管理方法である上記各ステップＳ３０１〜Ｓ３０８および種々の変更例における機能を有するプログラムを生産し、個々の光伝送装置にインストールし用いることとしてもよい。あるいは、このプログラムを、アプリケーションソフトとして、ハードディスク等の記録媒体に格納し、その記録媒体を任意のコンピュータに装着してプログラムをインストールするようにするか、これらをネットワークを介して他のコンピュータからダウンロードすることによりインストールして用いてもよい。また、このように記録媒体に格納することで、ＣＤ−ＲＯＭ等の可搬型記録媒体にプログラム等を格納して売買したり、携帯することができるようにもなる。
【００２８】
【発明の効果】
本発明に係る光伝送装置を用いることで、光伝送要求を行うユーザ側の発信元装置に対してその光伝送障害の回避情報を通知し、ユーザ側と障害回避の連携をとることができるようになる。
【図面の簡単な説明】
【図１】本発明における光伝送装置が用いられるネットワーク構成例を説明するためのブロック図である。
【図２】本発明に係る光伝送装置の構成を説明するためのブロック図である。
【図３】図２の光伝送装置により実行される動作を説明するためのフローチャートである。
【符号の説明】
１：ネットワーク
１０：光伝送網
２０，２２，３０，３２，３４，３６：リンク
４０，４２：ユーザ装置
１００−１〜１００−４：光伝送装置
１０２：受光部
１０４：光増幅部
１０６：光出力部
１１０：光伝送障害処理部
１１２：障害検知部
１１４：波長抽出部
１１６：経路算出部
１１８：保留指示部
１２０：通知部
【図１】
0003824219.tif 000002
【図２】
0003824219.tif 000003
【図３】
0003824219.tif 000004